(57)【特許請求の範囲】
【請求項１】
スコア（Ｓ）が刻まれた開封部（２３）が形成されているトップパネル（２１）と、
前記トップパネルに回転自在に結合された回転タブ（３０）と、
前記回転タブと前記トップパネルのスコア（Ｓ）が形成された部分とを相互連結し、前記回転タブが回転するとき、前記スコア（Ｓ）のスタートポイント（Ｐｏ）から破断を開始する破断開始手段と、を含み、
前記破断開始手段は、
前記トップパネル（２１）のスコア（Ｓ）が形成された部分に突設され、前記回転タブ（３０）と結合される破断突起（２７）を含むことを特徴とする缶蓋。
【請求項２】
前記破断突起（２７）が結合される回転タブ（３０）の周囲には、破裂スロット（３６）が形成されたことを特徴とする請求項１に記載の缶蓋。
【請求項３】
前記回転タブが回転するとき、前記破断突起は前記開封部の上面を加圧するように構成されたことを特徴とする請求項２に記載の缶蓋。
【請求項４】
前記スコア（Ｓ）は、前記破断突起の一部を囲むように形成されたことを特徴とする請求項１に記載の缶蓋。
【請求項５】
前記トップパネル（２１）には凹底部（２５）が形成され、
前記凹底部の境界は前記破断突起（２７）を囲んでいるスコアに隣接して取り囲むように形成されたことを特徴とする請求項１に記載の缶蓋。
【請求項６】
前記回転タブ（３０）は、前記トップパネル（２１）との結合部を中心に、屈曲部（３２）が形成された駆動端部（３０ａ）と、前記屈曲部（３２）の反対側にプッシング突出部（３３）が形成された従動端部（３０ｂ）と、を含むことを特徴とする請求項１に記載の缶蓋。
【請求項７】
前記スコア（Ｓ）は、
前記スタートポイント（Ｐｏ）から一側に延びて形成されるメインスコア（Ｓｍ）と、
前記スタートポイント（Ｐｏ）から他側に延びて形成され、少なくとも一部は前記メインスコア（Ｓｍ）より浅く形成される補助スコア（Ｓａ）とを含むことを特徴とする請求項１から請求項６のいずれか１項に記載の缶蓋。
【請求項８】
前記スコア（Ｓ）の破断の進行中に前記破断突起（２７）をトップパネル（２１）から分離させる分離スコア（ＳＳ）がさらに形成されたことを特徴とする請求項７に記載の缶蓋。
【請求項９】
前記分離スコア（ＳＳ）は前記補助スコア（Ｓａ）と平行に延び、その一端部が前記メインスコア（Ｓｍ）に連結されていることを特徴とする請求項８に記載の缶蓋。
【請求項１０】
前記トップパネル（２１）には、前記破断突起（２７）によって加圧される被加圧突出部（２９）がさらに形成されたことを特徴とする請求項１に記載の缶蓋。
【請求項１１】
内部に内容物を入れるように円筒状に形成された缶胴（１０）と、
前記缶胴（１０）の上端に取り付けられ、請求項１から請求項１０のいずれか１項に記載の構成を持つ缶蓋と、を含む缶容器。
【発明の詳細な説明】
【技術分野】
【０００１】
本発明は、缶蓋及びそれを採用した缶容器に関し、より詳しくは、回転動作によって缶の飲み口を容易に開けられるように構成した缶蓋及びそれを採用した缶容器に関する。
【背景技術】
【０００２】
図１は、従来広く使用される缶容器の蓋部分を示す図である。図示されたように、缶容器は円筒状の缶胴１、および缶胴の上端部に密封されて取り付けられる蓋２で構成される。
【０００３】
前記蓋２には、缶の飲み口を容易に開けるための手段が設けられる。具体的に、飲み口に沿って略円形に切断線が予め刻まれたスコア（Ｓｃｏｒｅ）３が形成され、前記スコア３が形成された部分を加圧するための圧着タブ４が備えられる。前記圧着タブ４は、例えばその中心部がリベットされて蓋２に固定されている。
【０００４】
上記のような構成を持つ従来の缶蓋において、圧着タブ４の先端を持ち上げれば、レバレッジの原理によって圧着タブ４の他端部が開封部を加圧しながらスコア３が破断し始まり、圧着タブ４の先端をさらに持ち上げることでスコア３に沿って破断され続け、飲み口が開けられる。
【０００５】
このように、従来の缶蓋では、片手で飲料缶を持ち、他方の片手で圧着タブ４を持ち上げなければならない。
【０００６】
また、前記圧着タブ４が蓋２の上面に殆ど密着した状態で付着しているため、爪やその他の道具を使用して圧着タブ４の先端を押し上げなければならない場合もある。
【０００７】
さらに、飲み口を開けるために圧着タブ４を過度に持ち上げるか又は他端を指で押下する過程で負傷を負うこともある。
【発明の概要】
【発明が解決しようとする課題】
【０００８】
本発明は、上記問題点に鑑みてなされたものであり、圧着タブで加圧して持ち上げる従来のいわゆるプッシュ−アンド−アップ（ｐｕｓｈ−ａｎｄ−ｕｐ）方式ではなく、タブを単に回転させる回転（ｒｏｔａｔｉｏｎ）方式で開けやすい缶蓋を提供することを目的とする。
【０００９】
また、本発明は、上記の缶蓋を採用した缶容器を提供することを他の目的とする。
【課題を解決するための手段】
【００１０】
上記の目的を達成するため、本発明による缶蓋は、スコアＳが刻まれた開封部が形成されているトップパネル；前記トップパネルに回転自在に結合された回転タブ；及び前記回転タブと前記トップパネルのスコアＳが形成された部分とを相互連結し、前記回転タブが回転するとき、前記スコアＳのスタートポイントＰｏから破断を開始する破断開始手段；を含む。
【００１１】
望ましくは、前記破断開始手段は、前記トップパネルのスコアＳが形成された部分に突設されて前記回転タブと結合される破断突起を含む。
【００１２】
さらに望ましくは、前記破断突起が結合される回転タブの周囲には破裂スロットがさらに設けられ、前記回転タブが回転するとき、前記破断突起は前記開封部の上面を加圧するように構成される。また、前記回転タブが回転されれば前記破断突起が折り曲がるように、回転タブの下面には折曲溝がさらに設けられ得る。
【００１３】
また、前記スコアＳは前記破断突起の一部を囲むように形成される。
【００１４】
本発明によれば、前記トップパネルには凹底部が設けられ、前記凹底部の境界は前記破断突起を囲んでいるスコアに隣接して取り囲むように形成される。
【００１５】
望ましくは、前記回転タブは前記トップパネルとの結合部を中心に、屈曲部が設けられた駆動端部と、前記屈曲部の反対側にプッシング突出部が形成された従動端部と、を含む。
【００１６】
前記スコアＳは、前記開封部とトップパネルとの境界に形成されるメインスコアＳｍ、及び前記メインスコアＳｍの反対側に延びている補助スコアＳａを含む。
【００１７】
望ましくは、前記スコアＳの破断の進行中に、前記破断突起をトップパネルから分離させる分離スコアＳＳがさらに形成され得る。
【００１８】
さらに望ましくは、前記分離スコアＳＳが前記補助スコアＳａと平行に延び、その一端部が前記メインスコアＳｍに連結される。
【００１９】
また、前記トップパネルには前記破断突起によって加圧される被加圧突出部がさらに形成される。
【００２０】
本発明の他の態様によれば、内部に内容物を入れるように円筒状に形成された缶胴、及び前記缶胴の上端に取り付けられ、上記のような構成を持つ缶蓋を含む缶容器が提供される。
【発明の効果】
【００２１】
本発明の缶蓋及び缶容器によれば、回転タブを回転させる簡単な動作によって飲み口を開けられるため、従来のプッシュ−アンド−アップ方式に比べて使用が非常に便利である。
【００２２】
また、過度な力でタブを加圧しなくてもよいため、缶を開ける過程で度々発生した負傷や安全事故を予防することができる。
【図面の簡単な説明】
【００２３】
本発明は添付される図面によって具体的に説明されるが、このような図面は本発明の望ましい実施例を例示するものであるため、本発明の技術思想が図面に記載された事項だけに限定されて解釈されてはならない。
【００２４】
【図１】従来の缶容器の缶蓋部を示す一部斜視図である。
【図２】本発明の望ましい実施例による缶容器の缶蓋部を示す一部斜視図である。
【図３】図２の回転タブを除去した状態を示す一部斜視図である。
【図４】図３の平面図である。
【図５】図２のＡ−Ａ’線に沿う断面図である。
【図６】図２のＢ−Ｂ’線に沿う断面図である。
【図７】本発明の望ましい実施例による缶蓋に備えられた回転タブの構成を示す斜視図である。
【図８】図７のａ−ａ’線に沿う断面図である。
【図９】図７のｂ−ｂ’線に沿う断面図である。
【図１０】図７のｃ−ｃ’線に沿う断面図である。
【図１１】図７のｄ−ｄ’線に沿う断面図である。
【図１２】図７のｅ−ｅ’線に沿う断面図である。
【図１３】本発明の他の望ましい実施例による缶蓋に備えられる回転タブの構成を示す平面図である。
【図１４】本発明の他の望ましい実施例による缶蓋に備えられる回転タブの構成を示す平面図である。
【図１５】本発明の他の望ましい実施例による缶蓋の構成を示す平面図である。
【図１６】本発明の動作中に破断突起が折り曲がる状態を示した図面である。
【図１７】本発明のさらに他の実施例による回転タブの構成を示す一部斜視図である。
【図１８】本発明のさらに他の実施例による回転タブの構成を示す一部斜視図である。
【図１９】図１８のｇ−ｇ’線に沿う断面図である。
【図２０】本発明のさらに他の実施例による回転タブの構成を示す一部斜視図である。
【図２１】図２０のｎ−ｎ’線に沿う断面図であり、破断突起が結合された状態を示した図面である。
【図２２】本発明のさらに他の実施例による缶蓋の構成を示す平面図である。
【図２３】本発明のさらに他の実施例による缶蓋の構成を示す平面図である。
【発明を実施するための形態】
【００２５】
図２は、本発明の望ましい実施例による缶容器の缶蓋部を示す斜視図である。
【００２６】
図面を参照すれば、本発明の缶容器は内容物を入れるように円筒状に形成された缶胴１０、及び前記缶胴１０の上端に取り付けられ、開封手段によって飲み口が開けられる缶蓋２０を含む。
【００２７】
周知の如く、前記缶胴１０は金属またはプラスチックで製造される。前記缶蓋２０はアルミニウム、スチールまたはその合金のような金属素材で製造され、缶胴１０の上端部と缶蓋２０の外周部とを機械的に折曲することで相互密封結合される。このような製造及び結合方式は既に当業界では周知の事項であるため、これ以上の詳細な説明は省く。
【００２８】
本発明による缶蓋２０は、トップパネル２１、及び前記トップパネル２１に回転自在に結合されている回転タブ３０を含む。前記回転タブ３０が略された状態の缶蓋が図３及び図４に示されている。
【００２９】
図示されたように、前記トップパネル２１の上面には飲み口を開封するためのスコアＳが刻まれることで開封部２３が形成される。周知の如く、前記スコアＳは開封部２３を開けやすいように予め刻んだ切断線であって、円周の一部を除いて略円形に形成される。
【００３０】
前記スコアＳの曲率は特に限定されず、後述するように、本発明の構成によって回転タブ３０を回転させるとき、容易に破断されるように多様に設定することができる。
【００３１】
望ましくは、前記スコアＳは平行する２本の線で形成することもできるが、このとき相対的に深く形成された外部スコアは実際に切断される線であり、相対的に浅く形成された内部スコアは容易な切断を促進する役割をする。本実施例においては、便宜上、スコアを１本に示した。
【００３２】
前記スコアＳが形成されないトップパネル２１の中心部には、回転軸突起２４が設けられ、前記回転軸突起２４には回転タブ３０が回転自在に取り付けられる。
【００３３】
具体的に、図４のＡ−Ａ’線及びＢ−Ｂ’線に沿う断面をそれぞれ示した図５及び図６を共に参照すれば、前記回転軸突起２４は缶蓋２０のトップパネル２１から一体的に突出して形成され、回転タブ３０に形成された回転孔（図７の３１参照）に挿入された後、端部がリベットされることで係止顎（図５の２４ａ）によって回転タブ３０と結合される。
【００３４】
前記回転タブ３０が位置する部分のトップパネル２１には、指を突っ込んで回転させやすいように凹底部２５が形成され、前記缶蓋２０を補強するために開封部２３を含めて必要な領域に補強リブ２６が形成され得る。
【００３５】
本発明によれば、前記凹底部２５の境界は破断突起２７を囲むスコアＳに隣接して取り囲むように形成されることが望ましい。この場合、回転タブ３０を回転させるとき、破断突起２７の周辺への応力の集中を促進することでスコアの破断がさらに容易になる。
【００３６】
ここで、前記回転軸突起２４と回転タブ３０との間の結合は、多様な構造であり得る。
【００３７】
図７は前記回転タブ３０の構成を示し、図８から図１２は図７のａ−ａ’線、ｂ−ｂ’線、ｃ−ｃ’線、ｄ−ｄ’線、及びｅ−ｅ’線に沿うそれぞれの断面を示す。ここで、図１０は破断突起２７が結合された状態が示されている。
【００３８】
上記の図面を参照すれば、回転タブ３０には前記回転軸突起２４が挿入される回転孔３１が形成され、前記回転孔３１の結合部を中心に、指で掛けて回転させる駆動端部３０ａと、その反対側の従動端部３０ｂとに分けられる。
【００３９】
望ましくは、前記駆動端部３０ａの長さが従動端部３０ｂより長く、回転時のレバレッジ効果が得られるように構成できるが、これに限定されることはない。
【００４０】
前記回転タブ３０は、剛性を持つようにスチール、アルミニウム、及びこれらの合金を含む金属素材で製造することが望ましい。前記回転タブ３０の駆動端部３０ａには指を掛けやすいように上部に突出した屈曲部３２を形成することができる。
【００４１】
望ましくは、前記屈曲部３２の反対側の従動端部３０ｂにも、ユーザが指で加圧できるように突出したプッシング突出部３３をさらに形成することができる。前記プッシング突出部３３は、図１２に図示されたように、回転タブ３０の端部を広く折曲することで形成することができる。
【００４２】
このような構成により、ユーザは例えば、人差し指を前記屈曲部３２に掛け、親指でプッシング突出部３３を押しながら、図２の矢印のように回転タブ３０を回転させることができる。この場合、回転タブ３０には両端で回転力が同時に印加されるので、より容易に回転することができる。
【００４３】
図７の３４は、剛性補強のための補強溝である。
【００４４】
本発明による回転タブは、回転しながら缶を開封する特性上、従来とは違って様々なデザインで設計することができる。図１３及び図１４はその例を示し、このような回転タブは指を掛けるか指で押して回転させやすいように多様な形状で変形することができる。
【００４５】
図１５は、本発明の他の望ましい実施例による缶蓋を示した平面図であって、図４と同じ構成である。以下、図１５を共に参照しながら缶蓋の構成を説明する。
【００４６】
本発明によれば、前記回転タブ３０とトップパネル２１のスコアＳが形成された隣接部とを相互連結させ、回転タブ３０が回転するとき、前記スコアＳの破断を開始する破断開始手段を含む。
【００４７】
本明細書及び特許請求の範囲に使用される「破断開始手段」は、回転タブとトップパネルのスコアが形成された隣接部とを連結する如何なる部材も包括するものとして解釈されなければならない。前記「破断開始手段」は、後述するように、多様な方式の手段を全て包括する意味で使用される。
【００４８】
本実施例によれば、前記破断開始手段はトップパネル２１の上面に形成され、回転タブ３０に形成された結合孔３５に結合される破断突起２７を含む。
【００４９】
具体的に、前記回転タブ３０において回転孔（図７の３１）の一側には結合孔３５が形成され、結合孔３５には破断突起２７が結合される（図６及び図１０参照）。
【００５０】
前記破断突起２７が結合される部分の周囲には、破裂スロット３６が形成される。破裂スロット３６は、缶を開けるために回転タブ３０を回転させるとき、破断突起２７が折り曲がりやすくする役割をする。そのために前記破裂スロット３６は、回転タブ３０が回転する方向に偏って形成される。
【００５１】
望ましくは、前記破断突起２７がより容易に折り曲がるように、回転タブ３０が折り曲がる部分の下面に折曲溝（図７の３７）をさらに形成することができる。さらに望ましくは、前記折曲溝３７に隣接する回転タブ３０に補強突起（図７及び図１１の３８参照）をさらに形成することができる。
【００５２】
前記破断突起２７は前記スコアＳの破断が始まる部分に隣接して形成され、回転タブ３０の結合孔３５に挿入されて端部がリベットされることで回転タブ３０に固定される。
【００５３】
前記破断突起２７は、回転タブ３０の回転力によって回転方向に折り曲がり、前記スコアＳの破断を開始させる。
【００５４】
望ましくは、前記破断突起２７は、破断と同時に開封部２３の上面を下方に押下し、スコアＳが破断され続けるようにすると同時に飲み口を開放する。
【００５５】
本発明によれば、前記スコアＳは回転タブ３０の回転力によって容易に破断が開始され、その後スムーズに破断され続けるように、形状と位置を設計することができるが、図１５はそのような望ましい実施例の１つを示したものである。
【００５６】
前記スコアＳは、破断を促進するためにスタートポイントＰｏが破断突起２７の外側に近接して形成され、前記スタートポイントＰｏから破断突起２７の少なくとも一部を囲むように両側に延びるメインスコアＳｍ及び補助スコアＳａを含む。
【００５７】
前記メインスコアＳｍは開封部２３とトップパネル２１との境界に形成され、メインスコアＳｍが破断されることで開封部２３が開封される。前記補助スコアＳａは、前記メインスコアＳｍの反対側に延びて開封部２３の開封を補助する機能をし、相対的にゆっくり破断される。そのために、前記補助スコアＳａの少なくとも一部は前記メインスコアＳｍより浅く形成される。
【００５８】
また、本発明によれば、前記スコアＳの破断の進行中に前記破断突起２７をトップパネル２１から分離させる分離スコアＳＳがさらに形成される。
【００５９】
前記分離スコアＳＳは、前記破断突起２７の周囲の少なくとも一部を囲むようにトップパネル２１に形成される。望ましくは、前記分離スコアＳＳが前記破断突起２７を挟んで補助スコアＳａと平行に延び、その一端部はメインスコアＳｍに連結されるように形成される。
【００６０】
本発明の望ましい実施例によれば、前記スコアＳは異なる刻み程度（深さ）を持つことができる。すなわち、補助スコアＳａの少なくとも一部は、メインスコアＳｍに比べて浅く形成され得る。
【００６１】
したがって、回転タブ３０を回転させる場合、深いスコアが浅いスコアより先に破断される。破断が所望の順に起きるように、スコアの刻み程度（深さ）を適切に設定することができる。
【００６２】
本発明によれば、容易なスコアＳの破断を補助する折曲線をトップパネル２１に形成することができる。具体的に、メインスコアＳｍの内側にはメインスコアＳｍの破断を促進する折曲線２８ａが形成され、破断突起２７を取り囲むスコアＳと凹底部２５の境界との間にあるトップパネル２１上にもスコアの破断開始を促進する折曲線２８ｂが形成されている。
【００６３】
このような折曲線２８はスコアと類似であるが、破断されないように浅く刻まれた切断線である。
【００６４】
さらに望ましくは、前記トップパネル２１上には、回転タブ３０を回転させるとき、破断突起２７と接触して開封部２３を下方にさらに折り曲げる被加圧突出部２９がさらに形成される。
【００６５】
さらに望ましくは、前記被加圧突出部２９は半球状または狭い円錐状に形成され、加圧力が集中されるように構成することができるが、これに限定されることはない。代案として、前記被加圧突出部２９は２つ以上を形成することもでき、連続的な模様で突設することもできる。
【００６６】
説明されない図１５の４１はエンボシングされた補強部を示す。
【００６７】
以下、上述した構成を持つ本発明の望ましい実施例による缶容器において飲み口を開封する動作について説明する。
【００６８】
本発明による缶容器は、ユーザが片手で缶容器を持った状態で、指を使用して回転タブ３０を回転させることで簡単に開封することができる。すなわち、ユーザは指を前記回転タブ３０の駆動端部３０ａの屈曲部３２に掛け、図２の矢印方向に回転させる。
【００６９】
すると、回転タブ３０は前記回転軸突起２４を中心に時計回り方向に回転するようになる。望ましくは、ユーザは人差し指を前記屈曲部３２に掛け、親指でプッシング突出部３３を押しながら回転タブ３０を回転させることができる。
【００７０】
このように回転タブ３０を回転させれば、従動端部３０ｂに設けられた破断突起２７は図１５に示された点線矢印のように回転しながらスコアＳの破断を開始させる。
【００７１】
前記回転タブ３０の回転が始まった直後に、回転タブ３０に形成された破裂スロット３６によって破断突起２７が結合されている部分が下方に屈曲し、破断突起２７が回転方向に折り曲がるようになる。
【００７２】
このような過程で、前記破裂スロット３６は破断突起２７が折り曲がるのに必要な初期の力を相当減らし、一旦破断突起２７が折り曲がった後は、回転タブ３０の駆動力を破断突起２７にそのまま伝達する。このとき、回転タブ３０の下面に折曲溝３７が形成されているため、前記破断突起２７の結合部はさらに容易に下方に折り曲がることができる。
【００７３】
上述のような過程により、破断突起２７が折り曲がると同時に破断突起２７を囲んでいたスコアＳのスタートポイントＰｏから破断が始まる。すなわち、図１６の（ａ）、（ｂ）に示されたように、回転タブ３０の折曲溝３７の部分が折り曲がり、前記スコアＳのスタートポイントＰｏから破断が開始される。
【００７４】
このようなスコアの破断は、メインスコアＳｍと補助スコアＳａに沿って地点Ｐ２と地点Ｐ３まで伝達される。
【００７５】
回転タブ３０の回転によってメインスコアＳｍと分離スコアＳＳとが合流する地点Ｐ３まで破断が進めば、その後分離スコアＳＳの破断が始まり、地点Ｐ３から地点Ｐ４まで破断される。
【００７６】
前記分離スコアＳＳが破断されれば、図１６の（ｃ）に示されたように、破断突起２７が完全に折り曲がって開封部２３の上面と接触し、開封部２３の上面 を下方に加圧するようになる。したがって、開封部２３は徐々に下方に加圧されて折曲し始める。
【００７７】
一方、補助スコアＳａの地点Ｐ２から地点Ｐ８までの部分は、相対的にスコアを浅く形成し、破断進行時、破断突起２７を缶容器の内部方向に誘導しながら破断されるようにする。
【００７８】
その後、回転タブ３０をさらに回転させれば、分離スコアＳＳの地点Ｐ４から地点Ｐ５まで、メインスコアＳｍの地点Ｐ３から地点Ｐ６までが同時に破断される。
【００７９】
それにより、破断突起２７は開封部２３の上面を加圧しながら、図１５に示された点線矢印方向に移動し、この過程で、メインスコアＳｍの破断は円弧部に沿って地点Ｐ７まで全体的に伝達されるようになる。
【００８０】
メインスコアＳｍの地点Ｐ６から地点Ｐ７までが破断される間、前記補助スコアＳａの浅い部分である地点Ｐ２から地点Ｐ８のスコアも破断されながら、破断突起２７が缶容器の内部方向に押し込まれる。
【００８１】
このように補助スコアＳａと分離スコアＳＳが破断されれば、その間に破断片４２が形成される。破断片４２によって破断突起２７はトップパネル２１と相変らず連結された状態になる。
【００８２】
最後に、メインスコアＳｍが地点Ｐ７まで完全に破断されれば、回転タブ３０が回転しながら破断突起２７が開封部２３の上面を加圧するため、開封部２３は最大に開けられた状態になる。したがって、飲み口が十分開封されるので、ユーザは缶内部に入れられた内容物を飲用または摂取することができる。
【００８３】
望ましくは、前記開封部２３の上面には破断突起２７によって加圧される被加圧突出部２９が形成されているため、回転タブ３０の回転によって開封部２３はより効果的に折曲され得る。
【００８４】
本発明のさらに他の実施例による回転タブは、図１７に示されたような構成を持つ。ここで、上述した図面と同じ参照番号は同じ部材を示す。
【００８５】
本実施例の回転タブにおいては、折曲が起きる地点である折曲溝３７の部分に相対的に狭幅の折曲部材３９が設けられ、前記折曲部材３９の間には相対的に広幅の開口部３９ａが設けられる。したがって、回転タブが回転すれば、前記開口部３９ａによって折曲部材３９が折曲されやすくなる。
【００８６】
また、回転タブの折曲を一層促進するため、プッシング突出部３３と隣接した部位にも開口部３９ｂを形成することができる。
【００８７】
図１８及び図１９は、本発明のさらに他の実施例による回転タブの構成を示す。ここで、上述した図面と同じ参照番号は同じ部材を示す。
【００８８】
本実施例による回転タブにおいては、折曲が起きる折曲溝３７の部分には折曲部材３９が設けられ、折曲部材３９を中心にプッシング突出部３３と隣接した傾斜部４０は下方に傾くように形成される。
【００８９】
したがって、回転タブを回転させるとき、前記傾斜部４０によって折曲部材３９が折曲されやすくなる。
【００９０】
望ましくは、前記傾斜部４０を補強するために切断部４３を形成し、切断された部分は下部に折り曲がる。
【００９１】
図２０及び図２１には、本発明のさらに他の実施例による回転タブの構成が概略的に示されている。ここで、上述した図面と同じ参照番号は同じ部材を示す。図２１は、図２０のｎ−ｎ’線に沿う断面図であって、破断突起が結合された状態を示したものである。
【００９２】
本実施例による回転タブには、回転タブの基準面から下方に延びた延長部５１、及び前記延長部５１から水平で延びた連結部５２が備えられる。
【００９３】
前記連結部５２には結合孔３５が形成され、そこに前述した実施例と同じ方法で破断突起２７が結合される。
【００９４】
また、前記延長部５１には複数のスリット５３が平行に形成される。
【００９５】
開封部を開封するため、本実施例による回転タブを回転させる場合、延長部５１が屈曲されながら破断突起２７が折り曲がる。このとき、延長部５１には複数のスリット５３が形成されているため、相対的に強度が弱く、少ない力で屈曲されやすくなる。一方、スリットが形成されない連結部５２の縁部を下面に折り曲げ、補強することができる。
【００９６】
本発明による缶蓋は、スコアの形成模様によって破断メカニズムが多様であり得る。本発明のさらに他の望ましい実施例によるスコアの構成例が図２２に示されている。
【００９７】
本実施例では、回転タブ３０を回転させれば、前述したような過程により破断突起２７が折り曲がりながらスコアＳのスタートポイントＰｏから破断が始まり、スコアの破断はメインスコアＳｍと補助スコアＳａに沿って地点Ｐ２と地点Ｐ３まで伝達される。
【００９８】
その後、分離スコアＳＳの破断が始まり、メインスコアＳｍと分離スコアＳＳとが合流する地点Ｐ４から地点Ｐ５まで破断される。
【００９９】
次いで、回転タブ３０をさらに回転させれば、メインスコアＳｍの地点Ｐ３から地点Ｐ６まで破断が伝達されると同時に、メインスコアＳｍの地点Ｐ２から地点Ｐ８まで破断が起きる。
【０１００】
その後、前述した実施例と同様にメインスコアＳｍの地点Ｐ６から地点Ｐ９までの破断、及び前記補助スコアＳａの浅い部分である地点Ｐ５から地点Ｐ７までの破断が起きる。このとき、破断突起２７は破断片４２によって開封部２３と連結された状態で、開封部２３を缶容器の内部に押し込みながら破断が起きる。本実施例においても同様に、スコアが破断される間に破断突起２７が開封部２３の上面を加圧する。
【０１０１】
図２３には、本発明のさらに他の望ましい実施例によるスコアの構成例が示されている。
【０１０２】
本実施例において、回転タブ３０を回転させれば、前述したような過程によって破断突起２７が折り曲がるとともにスコアＳのスタートポイントＰｏから破断が始まる。その後、スコアの破断はメインスコアＳｍと補助スコアＳａに沿って地点Ｐ２と地点Ｐ５まで伝達される。
【０１０３】
次いで、分離スコアＳＳの破断が始まるとともに、メインスコアＳｍと分離スコアＳＳとが合流する地点Ｐ３から地点Ｐ６まで破断が行われる。同時に、地点Ｐ４と地点Ｐ７まで破断が伝達される。
【０１０４】
その後、回転タブ３０をさらに回転させれば、分離スコアＳＳの地点Ｐ８まで破断されながらメインスコアＳｍの地点Ｐ９まで破断が完了する。このとき、補助スコアＳａの浅い部分である地点Ｐ６から地点Ｐ８までは、前述した実施例と同様に破断突起２７が破断片４２によって開封部２３と連結された状態で開封部２３を缶容器の内部に押し込みながら破断される。
【０１０５】
本実施例においても同様に、スコアが破断される間に破断突起２７が開封部２３の上面を加圧する。以上、本明細書ではそれぞれの実施例を独立的に示された図面を参照して個別的に説明したが、これらの構成を全て独立的に理解してはならず、本件出願当時の技術水準で各実施例に含まれた構成を多様に組み合わせるか又は採択して本発明を構成できることは言うまでもない。
【図１】
0005414074.tif 000002
【図２】
0005414074.tif 000003
【図３】
0005414074.tif 000004
【図４】
0005414074.tif 000005
【図５】
0005414074.tif 000006
【図６】
0005414074.tif 000007
【図７】
0005414074.tif 000008
【図８】
0005414074.tif 000009
【図９】
0005414074.tif 000010
【図１０】
0005414074.tif 000011
【図１１】
0005414074.tif 000012
【図１２】
0005414074.tif 000013
【図１３】
0005414074.tif 000014
【図１４】
0005414074.tif 000015
【図１５】
0005414074.tif 000016
【図１６】
0005414074.tif 000017
【図１７】
0005414074.tif 000018
【図１８】
0005414074.tif 000019
【図１９】
0005414074.tif 000020
【図２０】
0005414074.tif 000021
【図２１】
0005414074.tif 000022
【図２２】
0005414074.tif 000023
【図２３】
0005414074.tif 000024